(57)【要約】【課題】中栓内の空間を有効に活用して、計量目的の大きな容量をキャップ本体に持たせることができる計量キャップを提供する【解決手段】計量キャップ１ａはキャップ本体１３と取付筒１４とを有し、キャップ本体１３は筒状の胴部１５と胴部１５の上部を閉じる天板１６とを備え、胴部１５は上部分１７と下部分１８とからなり、計量キャップ１ａが中栓２に装着した装着状態において、下部分１８の下端２１部分は中栓２の内側に位置し、取付筒１４は胴部１５の外側にあって、上端２２が胴部に固着していて下端２１が開放していて装着状態において胴部１５との間に中栓２の上端２２を受け入れ可能であり、キャップ本体１３が複数ピースで構成される【選択図】    図１
2004268967.tif 000002
【特許請求の範囲】
【請求項１】
容器口部に装着可能な中栓に係脱して前記中栓を開閉する計量キャップであって、
前記計量キャップはキャップ本体と取付筒とを有し、
前記キャップ本体は筒状の胴部と前記胴部の上部を閉じる天板とを備え、前記胴部は上部分と下部分とからなり、前記計量キャップが前記中栓に装着した装着状態において前記下部分の下端部分は前記中栓の内側に位置し、前記取付筒は前記胴部の外側にあって、上端が前記胴部に固着していて下端が開放していて前記装着状態において前記胴部との間に前記中栓の上端を受け入れ可能であり、前記キャップ本体が複数ピースで構成されたことを特徴とする複数ピース計量キャップ。
【請求項２】
前記キャップ本体の胴部の前記上部分と前記下部分は別ピースで構成されていることを特徴とする請求項１記載の複数ピース計量キャップ。
【請求項３】
前記キャップ本体の前記胴部と前記天板とは別ピースによって構成されていることを特徴とする請求項１記載の複数ピース計量キャップ。
【請求項４】
前記中栓は液体注出口を設ける仕切りを有し、前記キャップ本体の前記下部分の下端は前記装着状態において前記中栓の前記仕切りの直上まで達していることを特徴とする請求項１記載の複数ピース計量キャップ。
【請求項５】
前記中栓は前記液体注出口の縁部において前記仕切りから延出する樋部材を有することを特徴とする請求項４記載の複数ピース計量キャップ。
【請求項６】
前記中栓に係脱可能に取り付けるための前記取付筒の内側面にまさつ係合用面、内ねじ若しくはアンダーカットその他の取付機構を有することを特徴とする請求項１記載の複数ピース計量キャップ。
【請求項７】
前記胴部の前記下部分の上端は前記上部分の内側に位置していて、前記胴部の上部分と下部分との間には相互に連結するためのまさつ係合面、ねじ若しくはアンダーカットその他の連結機構を有することを特徴とする請求項２記載の複数ピース計量キャップ。
【請求項８】
前記胴部と前記天板との間には相互に連結するためのまさつ係合面、ねじ若しくはアンダーカットその他の連結機構を有することを特徴とする請求項３記載の複数ピース計量キャップ。
【請求項９】
前記胴部の前記下部分の下端の内径は前記下部分の上端の内径よりも小さいことを特徴とする請求項１記載の複数ピース計量キャップ。
【発明の詳細な説明】
【０００１】
【産業上の利用分野】
この発明は容器から内容物を計量して注出する機能を持つ計量キャップに関するものである。
【０００２】
【従来の技術】
洗剤、柔軟剤を容器から一定量だけ計量して注出する必要がある場合に、計量キャップが用いられる。
【０００３】
これは液体内容物を収容する容器の口部を閉じるキャップを中栓とそれを開閉するキャップ本体とで構成し、キャップ本体に計量カップとしての機能を持たせたものである。
【０００４】
この計量する液体量を可変にするニーズを満たすために従来から各種の開発が行なわれている。
【特許文献１】特開平９−３０１４０７号公報
【特許文献２】特開昭６１−１０４９６２号公報
【課題】
しかるに従来の計量キャップにおいては容量の最大値が固定していて、しかもその容量が比較的小さいので、一度の注出量が大きい液体内容液の計量には適用することができなかった。
【０００５】
すなわち、図３に示すように計量キャップ１０１は中栓１０２に係脱するキャップ本体１１３の直筒状の胴部１１５の下端１１９と天板１１６との間の高さｈの内側空間１１０を計量室として利用するのであるが、その胴部の径Ｄは上から下までほぼ一定で、胴部の断面積と高さの積からなる容積を大きくすることができない。また、中栓１０２とキャップ本体１１３との間の幅Ｗの空隙を計量用容積として有効に利用していない。胴部の径が一定で直筒状または下端１１９で最大であるのは、製造上の制約である成形時の型抜きが可能な範囲でキャップ本体の内容積を最大にする工夫であるが、この制約のために中栓の内に計量目的では有効活用ができない空間を残してしまう結果になっている。
【０００６】
この発明は上記の如き事情に鑑みてなされたものであって、中栓内の空間を有効に活用して、計量目的の大きな容量をキャップ本体に持たせることができて、したがって大容量内容液の計量を可能にするとともに、製造上の制約を解決し、しかも構造が簡単な計量キャップを提供することを目的とするものである。
【０００７】
【構成】
この目的に対応して、この発明の複数ピース計量キャップは、容器口部に装着可能な中栓に係脱して前記中栓を開閉する計量キャップであって、前記計量キャップはキャップ本体と取付筒とを有し、前記キャップ本体は筒状の胴部と前記胴部の上部を閉じる天板とを備え、前記胴部は上部分と下部分とからなり、前記計量キャップが前記中栓に装着した装着状態において前記下部分の下端部分は前記中栓の内側に位置し、前記取付筒は前記胴部の外側にあって、上端が前記胴部に固着していて下端が開放していて前記装着状態において前記胴部との間に前記中栓の上端を受け入れ可能であり、前記キャップ本体が複数ピースで構成されたことを特徴としている。
【０００８】
【実施の態様】
以下、この発明の詳細を一実施例を示す図面について説明する。
図１において、１ａは計量キャップであり、２は中栓であり、３は容器ノズルである。中栓２は容器ノズル３に嵌着し、計量キャップ１ａは中栓２に着脱可能に装着されて中栓２を開閉可能である。
【０００９】
中栓２は同心状に内筒４及び外筒５を有し、内筒４と外筒５とがそれぞれの上端の肩部６で連結し、内筒４と外筒５との間に容器ノズル３を受け入れて中栓２と容器ノズル３が固定される。肩部６からは上方に取付筒７が立ち上がっており、この取付筒７において計量キャップ１ａを着脱可能に装着させている。
【００１０】
中栓２の下端部は先細状になってその下端に容器の内部と外部とを仕切る仕切り８が横断しており、この仕切り８に液体注出口１１が形成され、かつこの仕切り８からは液体注出口１１の縁から内容液の流れを案内する樋部材１２が上方に立ち上がっている。
【００１１】
なお、この明細書において上下の位置及び方向を示す用語は計量キャップ１ａを装着した容器の底部を接地させて容器を立てた場合の上下の位置及び方向を示している。
【００１２】
計量キャップ１ａはキャップ本体１３と取付筒１４とを有する。キャップ本体１３は中栓２を閉じる部材であり、取付筒１４はキャップ本体１３を中栓２に着脱させるための筒状の部材である。
【００１３】
キャップ本体１３は筒状の胴部１５とこの胴部１５の上端を閉じる天板１６とを備えた倒立したカップ状をなしている。この胴部１５は上部分１７と下部分１８とを有する。
【００１４】
上部分１７は計量キャップ１ａを中栓２に装着した装着状態において胴部１５の上部分を構成する部分であり、下部分１８は胴部１５の下部分を構成する部分である。下部分１８、特にその下端部分は装着状態において中栓２の内筒４の内側に位置し、下部分１８の外径は内筒４の内径よりも小さい。天板１６は胴部１５の上部分１７と一体となって上部分１７の上端を閉じている。
【００１５】
下部分１８は下に行くほど外径が小さくなる先すぼまりの形状になって、装着状態において、下部分１８は中栓２の内筒４の内面に沿って位置できるようになっている。胴部１５の上部分１７はその内外径が変化しない直円筒状か若しくは下端近傍が最も大径となる形状をなしている。下部分１８の下端１９の内径は上端２２の内径よりも小さい。
【００１６】
この実施例の計量キャップ１ａで重要な点は胴部１５の上部分１７と下部分１８が別体で構成されており、したがって計量キャップ１ａは２ピースで構成されている点である。図１中で下部分１８が上部分１７とは別体であることを示す目的で下部分１８については特にハッチングを付して表示してある。上部分１７の下端２１と下部分１８の上端２２が連結してキャップ本体１３を構成する。上部分１７の下端には短尺の押さえ筒２３が下方に延出し、下部分１８の上端２１部分の外面は上部分１７の下端２１の内面及び押え筒２３の内面に密接し、アンダーカット部２５によって連結して胴部１５を構成する。この連結機構としてはアンダーカット結合の他に、ねじ結合、摩擦結合を利用することもできる。
【００１７】
押え筒２３と取付筒１４とは共働して中栓２の取付筒７の上端部分を把持する。
【００１８】
このように構成された計量キャップ１ａにおいては、胴部１５の下部分１８を下に行くほど先細状とすることによって下部分１８を装着状態において中栓２の先細状の内筒４に沿って中栓２内に入り込ませることを可能とし、胴部１５の中間部である下部分１８の上端２２と上部分１７の下端２１との連結部分の近傍を膨らませることを可能にし、これらによって中栓２内の空間を計量のための空間として利用可能としたので、計量キャップ１ａの最大計量容積を増加させることができる。また、下部分１８は先細状になっているけれども、その成形に当たっては、それぞれの径が最大となる上端２２、下端２１の部分で上部分１７と下部分１８が２ピースに分割されているので型抜きは可能であり、製造上問題となることはない。しかもこの最大計量容積の増加を最小限２ピースによって実現することができるので、計量キャップ１ａの構造が複雑化することはない。
【００１９】
図２はこの発明の他の実施例に係る計量キャップ１ｂが示されている。この計量キャップ１ｂは、胴部１５の下部分１８を先細状にして中栓２の内筒４内に深く差し込み可能とした点は第１の実施例に係る計量キャップ１ａと同じであるが、この計量キャップ１ｂでは胴部１５の中間部に大径部を設けて、そこで上下に２分割して２ピースとするのではなくて、胴部１５の上端に最大径部を設けて、そこで胴部１５と天板１６ｂを分割して２ピースとしたものである。天板１６ｂの周縁部からは筒状の取付脚２４を下方に立ち下げ、この取付脚２４を上部分１７の頂部２５内に挿入可能とし、下部分１８の内面と取付脚２４の外面とを密接させて連結機構としてのアンダーカット部２４によって連結してキャップ本体１３を構成する。図２中で胴部１５と天板１６ｂとは別体であることを示す目的で天板１６ｂ及び取付脚２４は特にハッチングを付して表示してある。連結機構としてはアンダーカット結合の他に、ねじ結合、摩擦結合を利用することができる。
【００２０】
この場合も、最大計量容積の増加を最小限２ピースによって実現することができる。
【００２１】
【発明の効果】
以上の説明から明らかな通り、この発明によれば中栓内の空間を有効に活用して、計量目的の大きな容量をキャップ本体に持たせることができて、したがって大容量内容液の計量を可能にするとともに、製造上の制約を解決し、しかも構造が簡単な計量キャップを得ることができる。
【００２２】
【図面の簡単な説明】
【図１】この発明の計量キャップ１ａの縦断面説明図。
【図２】この発明の他の計量キャップ１ｂの縦断面説明図。
【図３】従来の計量キャップを示す縦断面説明図。
【符号の説明】
１ａ、１ｂ    計量キャップ
２            中栓
３            容器ノズル
４            内筒
５            外筒
６            肩部
７            取付筒
８            仕切り
１１          液体注出口
１２          樋部材
１３          キャップ本体
１４          取付筒
１５          胴部
１６、１６ｂ  天板
１７          上部分
１８          下部分
１９          下端
２１          下端
２２          上端
２３          押さえ
２４          取り付け脚
２５          アンダーカット部
２６          アンダーカット部
【図１】
2004268967.tif 000003
【図２】
2004268967.tif 000004
【図３】
2004268967.tif 000005